(57)【要約】      （修正有）【課題】画像表示装置に閲覧者の表示要求に応じた画像を表示する技術を提供する。【解決手段】サーバ１００は、携帯電話機１から取得した機種情報に応じてカラー画像データとモノクロ画像データとを切り換えて供給する。カラー液晶パネルを備えた携帯電話機１において、機種情報を切り換えることを可能とする。こうすることによって、カラー液晶パネルを備える機種であっても、モノクロ液晶パネルを備える機種としてサーバ１００にアクセスし、モノクロ画像データをダウンロードすることができるので、閲覧者の要求に応じた画像を表示することができる。【選択図】図１
2010211803.tif 000002
【特許請求の範囲】
【請求項１】
ネットワークに接続された画像表示装置に、該ネットワークを介して画像データを供給する画像データ供給装置であって、
画像データを記憶する画像データ記憶部と、
前記画像表示装置への表示態様を特定する取得モードを入力する取得モード入力部と、
特定の取得モードに対しては、前記画像データの一部の情報を前記画像表示装置に供給する画像データ供給部と、
を備える画像データ供給装置。
【請求項２】
請求項１記載の画像データ供給装置であって、
前記画像データ供給部は、前記特定の取得モードに対しては、前記画像表示装置からの要求に呼応して、前記画像データの一部を前記画像表示装置に段階的に供給する、
画像データ供給装置。
【請求項３】
請求項２記載の画像データ供給装置であって、
前記画像データは、カラー画像データであり、
前記画像データ供給部は、前記カラー画像データを色成分ごとに前記画像表示装置に供給する、
画像データ供給装置。
【請求項４】
請求項２記載の画像データ供給装置であって、
前記画像データは、カラー画像データであり、
前記画像データ供給部は、前記カラー画像データを輝度データと色差データとに分離して画像表示装置に供給する、
画像データ供給装置。
【請求項５】
請求項１記載の画像データ供給装置であって、
更に、前記取得モードを選択するためのユーザインタフェースを表示させるデータを前記画像表示装置に供給するユーザインタフェース供給部を備える、
画像データ供給装置。
【請求項６】
請求項５記載の画像データ供給装置であって、
前記ユーザインタフェースは、前記画像データを段階的に要求するためのインタフェースである、
画像データ供給装置。
【請求項７】
ネットワークを介して画像データ供給装置から取得した画像データを表示する画像表示装置であって、
前記画像データ供給装置は、画像表示装置の機種情報に応じて画像データを切り換えて供給する装置であり、
該画像表示装置は、前記画像データ供給装置に送信される機種情報を真の機種情報ではない機種情報に切り換えるための操作部を備える、
画像表示装置。
【請求項８】
請求項７記載の画像表示装置であって、
前記画像データ供給装置は、カラー画像表示装置に対応した第１の機種情報に対してはカラー画像データを供給し、モノクロ画像表示装置に対応した第２の機種情報に対してはモノクロ画像データを供給する装置であり、
該画像表示装置は、第１の機種情報を送信するカラー画像表示装置であり、
前記操作部は、該画像表示装置の第１の機種情報を第２の機種情報に切り換えるための操作部である、
画像表示装置。
【請求項９】
請求項８記載の画像表示装置であって、
該画像表示装置は、第１の機種情報に対応するカラー画像データを表示可能であるとともに、第２の機種情報に対応するモノクロ画像データを表示可能である、
画像表示装置。
【請求項１０】
ネットワークを介して画像データ供給装置から取得した画像データを表示する画像表示装置であって、
前記画像データ供給装置は、前記画像表示装置への表示態様を特定する取得モードに応じて画像データを所定の画像データに分割して供給可能な装置であり、
該画像表示装置は、前記取得モードを選択するためのユーザインタフェースを備える、
画像表示装置。
【請求項１１】
ネットワークを介して画像データ供給装置から取得した画像データを表示する画像表示装置であって、
画像データを一部ずつ段階的に取得する取得部と、
前記取得した一部ずつの画像データを関連付けて合成する合成部と、
前記合成した画像データを表示する表示部と、
を備える、画像表示装置。
【請求項１２】
請求項１１記載の画像表示装置であって、
該画像表示装置は、カラー画像表示装置であり、
前記段階的に取得する画像データは、色成分ごとのデータである、
画像表示装置。
【請求項１３】
請求項１１記載の画像表示装置であって、
該画像表示装置は、カラー画像表示装置であり、
前記段階的に取得する画像データは、カラー画像データの輝度データと色差データである、
画像表示装置。
【請求項１４】
請求項１１記載の画像表示装置であって、
該画像表示装置は、カラー画像表示装置であり、
前記表示部は、前記段階的に取得した画像データを合成前に表示可能である、
画像表示装置。
【請求項１５】
ネットワークに接続された画像表示装置に、該ネットワークを介して供給するための画像データを供給する画像データ供給方法であって、
（ａ）画像データを記憶する工程と、
（ｂ）前記画像表示装置への表示態様を特定する取得モードを入力する工程と、
（ｃ）特定の取得モードに対しては、前記画像データの一部の情報を前記画像表示装置に供給する工程と、
を備える画像データ供給方法。
【請求項１６】
ネットワークに接続され、画像表示装置から取得した機種情報に応じて供給する画像データを切り換える画像データ供給装置に対して、前記画像表示装置から画像データを要求する画像データ要求方法であって、
（ａ）前記画像表示装置の機種情報を真の機種情報ではない機種情報に切り換える工程と、
（ｂ）該機種情報を前記画像データ供給装置に送信することによって前記画像データを要求する工程と、
を備える画像データ要求方法。
【請求項１７】
ネットワークに接続された画像表示装置に、該ネットワークを介して画像データを供給する画像データ供給装置を制御するためのコンピュータプログラムをコンピュータ読み取り可能に記録した記録媒体であって、
前記画像表示装置から、前記画像データの表示態様を特定する取得モードを入力する機能と、
特定の取得モードに対しては、前記画像データの一部の情報を前記画像表示装置に供給する機能と、
を前記コンピュータに実現させるためのコンピュータプログラムを記憶した記録媒体。
【発明の詳細な説明】
【技術分野】
【０００１】
本発明は、閲覧者の表示要求に応じた画像表示に関する。
【背景技術】
【０００２】
インターネットその他のネットワークを利用してデジタルカメラ等の画像入力装置からサーバにアップロードされた画像データをダウンロードして、画像表示装置によって画像を表示させる技術が普及している。ダウンロードした画像データを画像表示装置に表示するに際して、一般に、閲覧者は高品質の画像表示を要求することが多い。そのため、画像データの提供者は、データ容量が大きな高解像度のカラー画像データをサーバに用意することがある。また、近年ではインターネットに接続可能な携帯電話機に備えられた液晶表示パネルがカラー化され、カラー画像データのやり取りが行われている。
【発明の概要】
【発明が解決しようとする課題】
【０００３】
ところで、サーバから画像データをダウンロードする場合、通信時間および通信料金がかかる。そして、データ容量が大きいと通信時間は長くなり、通信料金も高くなる。高品質な画像の画像データはデータ容量が大きいため、閲覧者は必ずしも高品質な画像の表示を望まない場合がある。例えば、ユーザは通信時間および通信料金を抑えるために、画像表示装置がカラー画像を表示可能な装置であり、サーバに用意されている画像データがカラー画像であっても、データ容量の小さいモノクロ画像の表示を望む場合や、画像データが高解像度の画像であっても低解像度の画像の表示を望む場合がある。しかし、従来、このような閲覧者の表示要求に応じた画像データの提供は行われていなかった。
【０００４】
本発明は、上述の課題を解決するためになされたものであり、画像表示装置に閲覧者の表示要求に応じた画像を表示する技術を提供することを目的とする。
【課題を解決するための手段】
【０００５】
上述の課題の少なくとも一部を解決するため、本発明では、以下の構成を採用した。
本発明の画像データ供給装置は、
ネットワークに接続された画像表示装置に、該ネットワークを介して画像データを供給する画像データ供給装置であって、
画像データを記憶する画像データ記憶部と、
前記画像表示装置への表示態様を特定する取得モードを入力する取得モード入力部と、
特定の取得モードに対しては、前記画像データの一部の情報を前記画像表示装置に供給する画像データ供給部と、
を備えることを要旨とする。
【０００６】
閲覧者は、画像データの提供者が画像データ供給装置にカラー画像を準備している場合であっても、モノクロ表示や、画像領域の一部表示等、種々の表示態様で画像表示装置に表示するために、画像データの一部の情報のみを取得したい場合がある。「画像データの一部の情報」とは、画像データの一部を抽出したデータであってもよいし、画像処理によって所定の変換を行ったデータの一部であってもよいことを意味している。本発明では、閲覧者が画像表示装置への画像の表示態様を特定する取得モードを設定する。設定された取得モードは、画像データ供給装置に入力される。画像データ供給装置は、入力された取得モードが特定の取得モードのときに画像データの一部の情報を画像表示装置に供給する。こうすることによって、閲覧者の表示要求に応じた画像を画像表示装置に表示することができる。
【０００７】
本発明の画像データ供給装置において、
前記画像データ供給部は、前記特定の取得モードに対しては、前記画像表示装置からの要求に呼応して、前記画像データの一部を前記画像表示装置に段階的に供給するようにすることが好ましい。
【０００８】
こうすることによって、閲覧者は画像データの一部ずつを画像データ供給装置に段階的に要求し、取得することができる。この結果、表示要求に応じて段階的により詳細な画像を画像表示装置に表示するようにすることができる。
【０００９】
例えば、上記画像データ供給装置において、
前記画像データは、カラー画像データであり、
前記画像データ供給部は、前記カラー画像データを色成分ごとに前記画像表示装置に供給するようにしてもよい。
【００１０】
「カラー画像データの色成分の一部」とは、例えば、ＲＧＢ表色系のＲ成分，Ｇ成分，Ｂ成分や、Ｌ*ａ*ｂ*表色系のＬ*成分，ａ*成分，ｂ*成分や、ＹＣｂＣｒ表色系のＹ成分，Ｃｂ成分，Ｃｒ成分等を意味する。本発明の画像データ供給装置は、カラー画像データを色成分ごとに画像表示装置に供給する。こうすることによって、閲覧者はカラー画像データを色成分ごとに要求し、段階的に取得することができる。そして、段階的にカラー画像を画像表示装置に表示するようにすることができる。
【００１１】
より具体的には、前記画像データ供給部は、前記カラー画像データを輝度データと色差データとに分離して画像表示装置に供給するようにすることができる。
【００１２】
こうすることによって、閲覧者は輝度データを取得してモノクロ画像を表示し、更に、必要であれば、色差データを取得することによってカラー画像を表示するようにすることができる。
【００１３】
本発明の画像データ供給装置において、
更に、前記取得モードを選択するためのユーザインタフェースを表示させるデータを前記画像表示装置に供給するユーザインタフェース供給部を備えるようにしてもよい。
【００１４】
ユーザインタフェース供給部から供給されたユーザインタフェースは、画像表示装置に表示される。例えば、画像表示装置には取得モード設定のためのボタンが表示される。閲覧者は画像表示装置に表示されたユーザインタフェースによって画像データ供給装置が供給可能な態様に応じた画像データの取得モードの設定を行うことができる。
【００１５】
上記画像データ供給装置において、
前記ユーザインタフェースは、前記画像データを段階的に要求するためのインタフェースであるものとすることができる。
【００１６】
このユーザインタフェースは、画像データを一部ずつ段階的に要求するためのものを画像表示装置に１度に供給されて表示されるようにしてもよいし、画像データの一部ずつの供給時に段階的に供給され、段階的に表示されるようにしてもよい。こうすることによって、閲覧者は画像表示装置に供給され表示されたユーザインタフェースによって段階的に画像データを要求することができる。
【００１７】
以上、画像データ供給装置の発明について示したが、本発明は、画像表示装置の発明として構成することもできる。
即ち、本発明の第１の画像表示装置は、
ネットワークを介して画像データ供給装置から取得した画像データを表示する画像表示装置であって、
前記画像データ供給装置は、画像表示装置の機種情報に応じて画像データを切り換えて供給する装置であり、
該画像表示装置は、前記画像データ供給装置に送信される機種情報を真の機種情報ではない機種情報に切り換えるための操作部を備えることを要旨とする。
【００１８】
例えば、携帯電話機の液晶パネルに画像を表示する場合、画像データ供給装置としてのサーバが画像表示装置としての携帯電話機の機種情報に応じて供給する画像データのファイルを変更する場合がある。本発明では、操作部で機種情報を真ではない他の機種情報に切り換えることができる。従って、本発明の画像表示装置は、異なる機種であるものとして画像データ供給装置から異なる機種用の画像データを取得し、表示することができる。
【００１９】
画像表示装置の機種情報に応じて供給する画像データを切り換える態様としては種々の態様があるが、例えば、
上記画像表示装置において、
前記画像データ供給装置は、カラー画像表示装置に対応した第１の機種情報に対してはカラー画像データを供給し、モノクロ画像表示装置に対応した第２の機種情報に対してはモノクロ画像データを供給する装置であり、
該画像表示装置は、第１の機種情報を送信するカラー画像表示装置であり、
前記操作部は、該画像表示装置の第１の機種情報を第２の機種情報に切り換えるための操作部であるものとすることができる。
【００２０】
画像データ供給装置が画像表示装置の機種情報からカラー画像データとモノクロ画像データとを切り換えて供給する場合がある。例えば、サーバは、アクセスした携帯電話機の機種情報がカラー液晶パネルを備えた機種のものであれば、カラー画像データを供給し、モノクロ液晶パネルを備えた機種のものであれば、モノクロ画像データを供給する場合がある。本発明の画像表示装置では、操作部でカラー画像表示装置に対応した第１の機種情報をモノクロ画像表示装置に対応した第２の機種情報に切り換えることができる。これによって、カラー画像表示装置であってもモノクロ画像表示装置であるものとして画像データ供給装置に画像データを要求することができる。
【００２１】
また、上記画像表示装置において、
該画像表示装置は、第１の機種情報に対応するカラー画像データを表示可能であるとともに、第２の機種情報に対応するモノクロ画像データを表示可能であるものとすることができる。
【００２２】
こうすることによって、画像表示装置はモノクロ画像表示装置に対応する第２の機種情報を画像データ供給装置に送付し、画像データ供給装置からモノクロ画像データが送付されるときに、送付されたモノクロ画像データを取得し、表示することができる。
【００２３】
また、本発明の第２の画像表示装置は、
ネットワークを介して画像データ供給装置から取得した画像データを表示する画像表示装置であって、
前記画像データ供給装置は、前記画像表示装置への表示態様を特定する取得モードに応じて画像データを所定の画像データに分割して供給可能な装置であり、
該画像表示装置は、前記取得モードを選択するためのユーザインタフェースを備えることを要旨とする。
【００２４】
本発明では、画像表示装置が予め表示態様を特定する取得モードを選択するためのユーザインタフェースを備えており、ユーザインタフェースで設定した取得モードが画像データ供給装置に入力される。画像データ供給装置からは取得モードに応じた画像データが供給される。このとき、設定された取得モードが特定の取得モードであるときには画像データが所定の画像データに分割されて供給される。こうすることによって、閲覧者の表示要求に応じた画像データを取得し、表示することができる。
【００２５】
また、本発明の第３の画像表示装置は、
ネットワークを介して画像データ供給装置から取得した画像データを表示する画像表示装置であって、
画像データを一部ずつ段階的に取得する取得部と、
前記取得した一部ずつの画像データを関連付けて合成する合成部と、
前記合成した画像データを表示する表示部と、
を備えることを要旨とする。
【００２６】
こうすることによって、画像データの一部ずつを段階的に取得し、それらをその都度関連付けて合成し、表示することができる。ここで、「段階的に取得する」とは、ＧＩＦのインタレース等の画像フォーマット、及びプロトコルなどによってユーザの意図に関わらず画像データ供給装置から段階的に送信される態様は含まない。ユーザからの要求に応じて段階的に取得されるものを言う。
【００２７】
上記画像表示装置において、
該画像表示装置は、カラー画像表示装置であり、
前記段階的に取得するデータは、色成分ごとのデータであるものとすることができる。
【００２８】
こうすることによって、色成分ごとの画像データを段階的に取得し、それらをその都度関連付けて合成して表示することができる。例えば、ＲＧＢ表色系のＲ成分、Ｇ成分、Ｂ成分の画像データを別々に段階的に取得し、それらを関連付けて合成し、表示するようにすることができる。
【００２９】
また、前記段階的に取得する画像データは、カラー画像データの輝度データと色差データであるものとしてもよい。
【００３０】
こうすることによって、まず輝度データを取得して表示し、それに引き続いて取得した色差データとを関連付けて合成させ、カラー画像を表示することができる。
【００３１】
また、上記画像表示装置において、
該画像表示装置は、カラー画像表示装置であり、
前記表示部は、前記段階的に取得した画像データを合成前に表示可能であるものとしてもよい。
【００３２】
こうすることによって、段階的に取得した画像データを合成せずに、一部の画像データだけでも表示することができる。
【００３３】
本発明は、上述の画像データ供給装置、画像表示装置としての構成の他、画像データ供給方法、画像データの要求方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００３４】
本発明をコンピュータプログラムまたはそのプログラムを記録した記録媒体等として構成する場合には、画像データ供給装置、画像表示装置を駆動するプログラム全体として構成するものとしてもよいし、本発明の機能を果たす部分のみを構成するものとしてもよい。また、記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【図面の簡単な説明】
【００３５】
【図１】第１実施例としての画像表示システムの構成を示す説明図である。
【図２】サーバ１００からダウンロードする画像データの切り換え用のインタフェースを示す説明図である。
【図３】携帯電話機１の液晶パネルＬＣＤに表示するユーザインタフェースを示す説明図である。
【図４】サーバ１００が行う画像データの出力処理を示すフローチャートである。
【図５】カラー液晶パネルの各セルの配列を示す説明図である。
【図６】第２実施例としての画像表示システムの構成を示す説明図である。
【図７】画像データ取得モードを設定するユーザインタフェースを示す説明図である。
【図８】サーバ１００Ａから輝度データと一緒に供給されるユーザインタフェースを示す説明図である。
【図９】サーバ１００Ａが行う画像データの出力処理を示すフローチャートである。
【発明を実施するための形態】
【００３６】
以下、本発明の実施の形態について、実施例に基づき以下の順序で説明する。
Ａ．システム構成：
Ｂ．画像データの要求：
Ｃ．第２実施例：
Ｄ．変形例：
【００３７】
Ａ．システム構成：
図１は、第１実施例としての画像表示システムの構成を示す説明図である。インターネットＩＮＴへのアクセス機能を有する携帯電話機１を画像表示装置として用い、インターネットＩＮＴに接続されたサーバ１００を画像データ供給装置として用いた場合を例示する。携帯電話機１は、基地局ＣＴＲとの無線通信を介してインターネットＩＮＴにアクセスし、同じくインターネットに接続されたサーバ１００から画像データをダウンロードする。ダウンロードされた画像データは、携帯電話機１内の制御ユニット（図示省略）で処理され、液晶パネルＬＣＤに表示される。制御ユニットは、ＣＰＵ、メモリ等を備えるマイクロコンピュータとして構成されており、ソフトウェアによって、画像処理を行い、表示を制御する。なお、本実施例では、携帯電話機１は、カラー液晶パネルを備えており、カラー画像の表示が可能な機種である。
【００３８】
図１には、サーバ１００の機能ブロックを併せて示した。サーバ１００は、画像データ入力部１１０と、画像データ記憶部１２０と、機種情報取得部１３０と、画像データ供給部１４０とを備えている。これらの機能ブロックは、サーバ１００にソフトウェア的に構築されている。また、これらの機能ブロック以外にも、画像データに対して画像処理を施すブロック等も備えている。なお、本実施例では、単一のサーバ１００に全機能ブロックが用意されている場合を例示するが、複数のサーバで分散処理するものとしてもよい。
【００３９】
画像データ入力部１１０には、図示しないデジタルカメラやスキャナによって取得された画像データや、パーソナルコンピュータにインストールされたアプリケーションプログラムを用いて作成、加工された画像データが、インターネットＩＮＴあるいは図示しないローカルエリアネットワークを介して入力される。
【００４０】
画像データ記憶部１２０には、１つの画像について、カラー液晶パネルに表示するためのカラー画像データと、モノクロ液晶パネルに表示するためのモノクロ画像データとの２種類のデータが記憶されている。これらは、携帯電話機の機種情報と対応付けて記憶されている。
【００４１】
機種情報取得部１３０は、携帯電話機１がサーバ１００にアクセスした際に、携帯電話機１の機種情報を取得する。この機種情報を取得することによって、サーバ１００は、携帯電話機１の仕様、即ち、液晶パネルの種類やサイズ等を特定することができる。
【００４２】
画像データ供給部１４０は、機種情報取得部１３０で取得した機種情報によって、携帯電話機１にカラー画像データを供給するか、モノクロ画像データを供給するかを判別し、それに基づいた画像データを携帯電話機１に供給する。つまり、サーバ１００にアクセスした携帯電話機がモノクロ液晶パネルを備えた機種であれば、モノクロ画像データを、カラー液晶パネルを備えた機種であれば、カラー画像データを供給する。
【００４３】
Ｂ．画像データの要求：
図２および図３は、サーバ１００からダウンロードする画像データの切り換え用のインタフェースを示す説明図である。携帯電話機１は、カラー画像データをダウンロードするか、モノクロ画像データをダウンロードするかを切り換える操作ボタン１５を備えている（図２）。この操作ボタン１５を操作することによって、携帯電話機１の機種情報を切り換えることができる。携帯電話機１は、カラー液晶パネルを備えた機種であるが、操作ボタン１５により、例えば、モノクロ画像データをダウンロードするモードに切り換えられると、携帯電話機１の機種情報がモノクロ液晶パネルを備えた機種の機種情報に切り換えられる。この機種情報はサーバ１００に送信され、サーバ１００は、アクセスした携帯電話機１がモノクロ液晶パネルを備えた機種であるものと判別する。こうすることによって、カラー液晶パネルを備えた携帯電話機１は、モノクロ液晶パネルを備えた機種に供給するために用意されたモノクロ画像データをダウンロードすることができる。
【００４４】
このようなサーバ１００からダウンロードするカラー画像データとモノクロ画像データの切り換えは、携帯電話機１に切り換え用のユーザインタフェースを備えることによって行うことも可能である。図３は、携帯電話機１の液晶パネルＬＣＤに表示するユーザインタフェースを示す説明図である。本実施例では、カラー画像データをダウンロードするための「カラー」モードと、モノクロ画像データをダウンロードするための「モノクロ」モードとが用意されている。携帯電話機１のブラウザのメニューからダウンロードする画像データの切り換えを行うためのユーザインタフェースを表示し、ユーザが選択・設定することによって機種情報（カラー／モノクロ）を切り換える。「カラー」モードが選択されたときには、カラー液晶パネルを備えた機種の機種情報が画像データの要求時にサーバ１００に送信される。「モノクロ」モードが選択されたときには、モノクロ液晶パネルを備えた機種の機種情報がサーバ１００に送信される。
【００４５】
図４は、サーバ１００が行う画像データの出力処理を示すフローチャートである。サーバ１００は、携帯電話機１から画像出力の要求を受信する（ステップＳ１００）。その際、携帯電話機１の機種情報を取得する（ステップＳ１１０）。そして、取得した機種情報がカラー液晶パネルを備えた携帯電話機の機種情報であるか否かを判別する（ステップＳ１２０）。取得した機種情報がカラー液晶パネルを備えた携帯電話機の機種情報であれば、カラー画像データを供給する（ステップＳ１３０）。カラー液晶パネルを備えた携帯電話機の機種情報でなければ、即ち、モノクロ液晶パネルを備えた携帯電話機の機種情報であれば、モノクロ画像データを供給する（ステップＳ１４０）。
【００４６】
図５は、カラー液晶パネルの各セルの配列を示す説明図である。１画素はＲ，Ｇ、Ｂ１つずつのセルから構成されており、太実線で囲んだ領域が１画素を示している。ユーザによって「カラー」モードが選択されているときには、カラー液晶パネルの１画素を構成するＲＧＢ領域に、カラー画像データのＲＧＢ色成分が供給される。一方、ユーザによって「モノクロ」モードが選択されているときには、カラー液晶パネルの１画素を構成するＲＧＢ領域に、モノクロ画像データが共通に供給される。こうすることによって、カラー液晶パネルでも、モノクロ画像データを表示することが可能となる。
【００４７】
従来、カラー液晶パネルを備えた携帯電話機では、サーバへのアクセス時にその機種に固定の機種情報がサーバに送信され、その機種用のデータが供給されていた。第１実施例によれば、携帯電話機がカラー液晶パネルを備えた機種であっても、操作ボタン１５あるいはユーザインタフェースによって機種情報を真ではない機種情報に切り換えることが可能である。従って、サーバ１００で行う処理は従来のままで、ダウンロードする画像データを切り換えることができる。つまり、ユーザの表示要求に応じた画像データをサーバからダウンロードして表示することができる。
【００４８】
Ｃ．第２実施例：
第１実施例では、サーバ１００に１つの画像について携帯電話機の機種情報に応じた複数のファイルが用意されており、携帯電話機１の機種情報を切り換えることによって、ダウンロードする画像データ全体、つまり、ダウンロードするファイル自体を切り換えた。第２実施例では、画像データの一部ずつをユーザの要求に呼応してダウンロードし、表示する態様について示す。
【００４９】
図６は、第２実施例としての画像表示システムの構成を示す説明図である。図中に、サーバ１００Ａの機能ブロック図および携帯電話機１Ａの制御ユニット１０内の画像表示に関する機能ブロック図を併せて示した。
【００５０】
サーバ１００Ａは、画像データ入力部１１０と、画像データ記憶部１２０Ａと、取得モード入力部１２５と、画像データ分割部１３５と、画像データ供給部１４０Ａと、ユーザインタフェース供給部１５０とを備えている。サーバ１００Ａは、携帯電話機１Ａの液晶パネルＬＣＤへの画像データの表示態様を特定する取得モードに応じて画像データの一部を供給可能なサーバである。なお、本実施例では、サーバ１００Ａは、カラー画像データを輝度データと色差データとに分けて、段階的に供給可能なサーバである。
【００５１】
画像データ記憶部１２０Ａは、画像データ入力部１１０に入力されたカラー画像データを記憶している。このカラー画像データは、画像データ分割部１３５で輝度データと色差データとに分けて配列されており、ヘッダにはそれぞれのデータの容量を示すバイト情報が記されている。
【００５２】
カラー画像を表すＲＧＢデータから輝度、色差データを表すＹ，Ｃｂ，Ｃｒデータへの変換には、一例として次式を用いることができる。
【００５３】
【数１】
2010211803.tif 000003
【００５４】
上式（１）は、データのビット数が８（２５６階調）のときのＲＧＢデータからＹＣｂＣｒデータへの変換式であり、ＪＰＥＧ圧縮でよく用いられる。ＲＧＢデータからＹＣｂＣｒへの変換は、画像データ入力部１１０へデータを入力する前に、図示しない画像入力装置において予め行うようにしてもよいし、画像データ入力部１１０へ一旦ＲＧＢデータを入力した後に図示しない画像変換部において、サーバ１００Ａの負荷の小さい時間に行うようにしてもよい。
【００５５】
取得モード入力部１２５は、後述するユーザインタフェースで設定された画像データの取得モードを入力する。
【００５６】
画像データ供給部１４０Ａは、取得モード入力部１２５に入力された取得モードに応じて携帯電話機１Ａにカラー画像データ全部を供給するか、輝度データと色差データとを分けて供給するかを判別し、それに基づいたデータを携帯電話機１Ａに供給する。輝度データと色差データと分けて供給するときには、上述したバイト情報に基づいて輝度データと色差データとに分ける。なお、輝度データおよび色差データのそれぞれのヘッダには、後から両者を関連付けて合成することができるように、識別情報が付される。
【００５７】
ユーザインタフェース供給部１５０は、携帯電話機１Ａがサーバ１００Ａにアクセスしたときに、画像データの取得モードを設定するユーザインタフェースを表示させるためのデータを供給する。また、輝度データを携帯電話機１Ａに供給するときには、色差データを引き続き要求するか否かを求めるユーザインタフェースを表示させるためのデータを供給する。
【００５８】
図７は、画像データの取得モードを設定するユーザインタフェースを示す説明図である。本実施例では、カラー画像データを取得する「カラー」モードと、輝度データと色差データとを段階的に取得可能な「輝度＋色」モードとが用意されている。このユーザインタフェースは、携帯電話機１Ａの液晶パネルＬＣＤに表示され、ユーザは、いずれかを選択することができる。なお、このユーザインタフェースは、予め携帯電話機１Ａが備えるようにしてもよい。
【００５９】
図８は、輝度データがサーバ１００Ａから供給されるときに、サーバ１００Ａから輝度データと一緒に供給され、携帯電話機１Ａの液晶パネルＬＣＤに表示されるユーザインタフェースを示す説明図である。携帯電話機１Ａの液晶パネルＬＣＤには、輝度データのみのモノクロ画像Ｐとユーザインタフェースとが表示される。このユーザインタフェースには、「色データ」と「終了」のメニューが用意されている。これによって、輝度データに引き続き色差データを取得するか、輝度データのみ取得して画像データのダウンロードを終了するかが選択可能である。
【００６０】
携帯電話機１Ａの制御ユニット１０（図６参照）は、取得部１１と、記憶部１２と、合成部１３と、表示部１４とを備えている。取得部１１は、サーバ１００Ａからカラー画像データ全体、あるいは、輝度データ、色差データを取得する。記憶部１２は、取得したデータを記憶する。合成部１３は、輝度データと色差データとをヘッダに付された識別情報に基づいて関連付けて合成し、１つの画像データにする。表示部１４は、液晶パネルＬＣＤに画像を表示させる。
【００６１】
図９は、サーバ１００Ａが行う画像データの出力処理を示すフローチャートである。なお、本実施例では、カラー画像データを扱う場合について示す。サーバ１００Ａは、携帯電話機１Ａから画像出力の要求を受信すると（ステップＳ２００）、画像データの取得モードを設定するユーザインタフェースのデータを携帯電話機１Ａに供給する（ステップＳ２１０）。すると、携帯電話機１Ａの液晶パネルＬＣＤにユーザインタフェースが表示される。ユーザは、このユーザインタフェースで画像データの取得モードを設定する。設定された取得モードは、サーバ１００Ａに送信され、入力される（ステップＳ２２０）。そして、入力された取得モードが「カラー」モードであるか否かを判別する（ステップＳ２３０）。「カラー」モードであれば、カラー画像データ全体を供給し（ステップＳ２４０）、画像データ出力処理を終了する。「カラー」モードでなければ、即ち、「輝度＋色」モードであれば、データのヘッダに記されたバイト情報に基づいてカラー画像データを輝度データと色差データとに分離し、後に色差データと合成することができるように識別情報を付して輝度データを供給する（ステップＳ２５０）。このとき、図８に示したユーザインタフェースを表示するためのデータも一緒に供給する。次に、ユーザインタフェースで選択された指示を入力する（ステップＳ２６０）。そして、「色データ」が選択されたか否かを判別する（ステップＳ２７０）。「色データ」が選択されていれば、輝度データと合成できるように識別情報を付した色差データを供給し（ステップＳ２７０）、画像データ出力処理を終了する。「色データ」が選択されていなければ、即ち、「終了」が選択されていれば、画像データの出力処理を終了する。
【００６２】
一方、携帯電話機１Ａは、ステップＳ２４０によりカラー画像全体を取得するときには、カラー画像を構成するＲＧＢ成分をカラー液晶パネルのＲＧＢ領域に供給する。また、ステップＳ２５０により輝度データを取得するときには、輝度Ｙ成分をカラー液晶パネルのＲＧＢ領域に共通に供給する。更に色差データの一例としてＣｂ，ＣｒデータをステップＳ２８０により取得するときには、合成部１３で上述した識別情報に基づいて、次式により、輝度データＹと色差データＣｂ，ＣｒとをＲＧＢデータへ合成し、合成後のＲＧＢデータをカラー液晶パネルのＲＧＢ領域に供給する。
【００６３】
【数２】
2010211803.tif 000004
【００６４】
なお、上式（２）は、データのビット数が８（２５６階調）のときのＹＣｂＣｒデータからＲＧＢデータへの合成式であり、ＪＰＥＧ圧縮でよく用いられる。
【００６５】
このように第２実施例によれば、サーバ１００Ａにカラー画像データが用意されているときに、携帯電話機１Ａは、画像データの取得モード、即ち、ユーザの表示要求に応じて輝度データのみをサーバ１００Ａからダウンロードしてモノクロ画像を表示することができる。携帯電話機１Ａは、更に、サーバ１００Ａから色差データをダウンロードして、合成部１３で輝度データと色差データとを関連付けて合成することができるので、カラー画像を表示することもできる。
【００６６】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００６７】
Ｄ１．変形例１：
上記第１実施例では、画像出力装置としての携帯電話機の機種情報に応じてカラー画像データとモノクロ画像データとを切り換えて供給する画像データ供給装置を用いた場合について示したが、これに限られるものではない。本発明は、一般に、画像表示装置の機種情報に応じて画像データ供給装置から供給する画像データを切り換える画像表示システムに適用可能である。例えば、画像表示装置の機種情報に応じて画像データ供給装置が異なるサイズや異なる解像度の画像データを供給する画像表示システムに適用することもできる。
【００６８】
Ｄ２．変形例２：
上記第２実施例では、サーバ１００Ａがカラー画像データを輝度データと色差データとに分割して画像データの一部として段階的に供給する場合について示したが、これに限られるものではない。例えば、画像データの一部として、画像データのＲ成分、Ｇ成分、Ｂ成分を別々に供給するようにしてもよい。このときには、Ｇ成分を先に供給し、後からＲ成分とＢ成分を供給するようにすることが好ましい。先に示した式（１）から解かるように、Ｇ成分は他の成分に比べてより多くの輝度情報を含むからである。Ｇ成分を先に取得して表示することによって、閲覧者は画像の輝度情報の概略を得ることができる。
【００６９】
また、画像の右半分、左半分等、画像領域の一部の画像データを供給するようにしてもよい。画像データを間引いて小さいサイズの画像データを供給するようにしてもよい。また、動画データを供給する場合に、画像データを間引いてコマ送り画像を供給するようにしてもよい。画像表示装置は、カラー画像表示装置ではなく、モノクロ画像表示装置であってもよい。
【符号の説明】
【００７０】
１，１Ａ…携帯電話機
１０…制御ユニット
１１…取得部
１２…記憶部
１３…合成部
１４…表示部
１５…操作ボタン
１００，１００Ａ…サーバ
１１０…画像データ入力部
１２０，１２０Ａ…画像データ記憶部
１２５…取得モード入力部
１３０…機種情報取得部
１３５…画像データ分割部
１４０，１４０Ａ…画像データ供給部
１５０…ユーザインタフェース供給部
【図１】
2010211803.tif 000005
【図２】
2010211803.tif 000006
【図３】
2010211803.tif 000007
【図４】
2010211803.tif 000008
【図５】
2010211803.tif 000009
【図６】
2010211803.tif 000010
【図７】
2010211803.tif 000011
【図８】
2010211803.tif 000012
【図９】
2010211803.tif 000013
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
ネットワークに接続された画像表示装置に、該ネットワークを介して画像データを供給する画像データ供給装置であって、
前記画像表示装置の機種情報に応じた画像データを取得する画像データ取得部と、
前記画像表示装置から前記画像表示装置の機種情報を取得する機種情報取得部と、
前記取得した前記機種情報に対応する画像データを前記画像表示装置に供給する画像データ供給部と、
を備える画像データ供給装置。
【請求項２】
請求項１記載の画像データ供給装置であって、
前記画像データ取得部は、サイズ及び解像度のうち少なくとも一方が異なる画像データを前記機種情報に応じて取得する、
画像データ供給装置。
【請求項３】
画像表示装置であって、
該画像表示装置を意味する真の機種情報及び該画像表示装置と異なる仕様である別の画像表示装置を意味する偽の機種情報の一方を選択するための選択部と、
前記選択された前記真の機種情報又は前記偽の機種情報と、画像データの要求とをネットワークを介して接続する画像データ供給装置に送信する送信部と、
前記画像データ供給装置から取得した画像データに基づいて、画像を表示させる画像表示部と、
を備えた画像表示装置。
【請求項４】
画像表示装置と画像データ供給装置とをネットワークを介して接続することによって構成された画像表示システムであって、
前記画像表示装置は、
該画像表示装置を意味する真の機種情報及び該画像表示装置と異なる仕様である別の画像表示装置を意味する偽の機種情報の一方を選択するための選択部と、
前記選択された前記真の機種情報又は前記偽の機種情報と、画像データの要求とを前記画像データ供給装置に送信する送信部と、
前記画像データ供給装置から取得した画像データに基づいて、画像を表示させる画像表示部と、
を備え、
前記画像データ供給装置は、
前記画像表示装置の機種情報に応じた画像データを取得する画像データ取得部と、
前記画像表示装置から前記画像表示装置の機種情報を取得する機種情報取得部と、
前記取得した前記機種情報に対応する画像データを前記画像表示装置に供給する画像データ供給部と、
を備える画像表示システム。